(57)【要約】【課題】足場側から建物側に延びるように組み付けられる簡易手摺りの組み付け作業および撤去作業を迅速かつ確実に行える新規な簡易手摺りブラケットの提供。【解決手段】足場２００から建物３００側に向かって互いに平行に延びる一対の単管１０，１０と、当該単管間１０，１０を連結する連結管２０と、各単管１０，１０の足場２００側端部に設けられる第１クランプ３０，３０と、前記各単管１０，１０の建物３００側端部に設けられて簡易手摺り４００に取り付ける第２クランプ３１，３１とを備える。このような構成によれば、第１クランプ３０，３０を足場２００側に取り付けると共に、第２クランプ３１，３１に簡易手摺り４００を取り付けるだけで、簡易手摺り４００を容易かつ迅速に足場２００に組み付けることができ、その撤去作業も各クランプ３０，３１を取り外すだけで済むため、その作業も迅速かつ容易に行うことができる。【選択図】  図１
0003186625.tif 000002
【実用新案登録請求の範囲】
【請求項１】
足場から建物側に向かって互いに平行に延びる一対の単管と、当該単管間を連結する少なくとも１つ以上の連結管と、前記各単管の足場側端部に設けられ、当該単管端部を足場に取り付ける第１クランプと、前記各単管の建物側端部に設けられ、当該単管端部に、これとほぼ直交するように位置する単管からなる簡易手摺りに取り付ける第２クランプと、を備えることを特徴とする簡易手摺りブラケット。
【請求項２】
足場から建物側に向かって互いに平行に延びる一対の第１単管と、当該第１単管間を連結する少なくとも１つ以上の第１連結管と、前記各第１単管の足場側端部に設けられ、当該第１単管端部を足場に取り付ける第１クランプとからなる第１フレームと、
前記建物から足場側に向かって互いに平行に延びると共に、足場側端部が前記第１単管の建物側端部を挿入または挿入される一対の第２単管と、当該第２単管間を連結する少なくとも１つ以上の第２連結管と、前記各第２単管の建物側端部に設けられ、当該第２単管端部に、これとほぼ直交するように位置する単管からなる簡易手摺りに取り付ける第２クランプとからなる第２フレームと、を備えることを特徴とする簡易手摺りブラケット。
【請求項３】
請求項１または２の簡易手摺りブラケットにおいて、
前記第１クランプは、前記各単管の足場側端部に前記単管の軸を中心に回転自在に設けられたことを特徴とする簡易手摺りブラケット。
【請求項４】
請求項１乃至３の何れかに記載の簡易手摺りブラケットにおいて、
前記各単管の建物側端部に筒状体を回転自在に嵌装し、当該筒状体の側面に、前記手摺りに取り付ける第３クランプを備えたことを特徴とする簡易手摺りブラケット。
【請求項５】
請求項４に記載の簡易手摺りブラケットにおいて、
前記第２クランプに代えてアイボルトを備えたことを特徴とする簡易手摺りブラケット。
【考案の詳細な説明】
【技術分野】
【０００１】
本考案は、建設現場等で組み立てられる作業用足場に、簡易手摺りを取り付けるための簡易手摺り用ブラケットに関するものである。
【背景技術】
【０００２】
一般に、ビルやマンション、一般家屋などの建設時や補修工事などの際には、その建物を囲むように鉄骨製の作業用足場が組み立てられる。この作業用足場は、仮設の作業床およびこれを支持する仮設物からなっており、その構造によって単管足場や枠組足場、くさび緊結式足場などがある。そして、これらは設置する敷地の状態、コスト、建物や作業の規模などに応じて最適なものが選択して用いられる。
【０００３】
このような作業用足場にあっては、作業性に優れ、かつ組み立てや撤去作業が容易であるだけでなく、突風で倒れたり、作業員が誤って転落することのないように高い安全性が求められている。特に、作業員の転落防止のためには、安全帯の使用義務だけでなく、例えば、以下の特許文献１乃至４などに示すように足場枠に対して交差筋交いの他に、手摺りや中桟、幅木、メッシュシートなどを取り付けるようにしている。また、高層足場の組み立てに際しては、以下の特許文献５などに示すような、安全性の高い手摺り先行工法が推奨されている。
【先行技術文献】
【特許文献】
【０００４】
【特許文献１】特開平１１−３６６０４号公報
【特許文献２】特開２００２−１８８２８２号公報
【特許文献３】特開２００２−２０６３３６号公報
【特許文献４】特開２００２−２２０９２６号公報
【特許文献５】特開２０１２−１３２１５７号公報
【考案の概要】
【考案が解決しようとする課題】
【０００５】
ところで、このような作業用足場と建物外壁との間には、作業性を確保すべく一定の隙間（例えば３０〜４０ｃｍ程度）が生じている。そのため、特に手摺りがない建物と足場との間に大きな隙間が生じ、足場や建物（屋上）側にいる作業員がこの隙間へ転落するのを防止するための仮設の手摺りが必要となってくる。
【０００６】
そのため、従来では、例えば足場側から建物方向に短尺（５０〜６０ｃｍ程度）の単管を複数突き出すように組み立て、それらの単管の先端間に同じく長尺（５〜６ｍ程度）の単管を横方向に架け渡すように連結することで簡易の手摺りを組み付けている。しかしながら、この作業は、多数の単管を用意し、各単管毎にクランプを用いて組み立てているため、その組み付け作業は容易ではない。また、撤去も各単管毎に行うため、同様に多数の手間がかかる。
【０００７】
そこで、本考案はこれらの課題を解消すべく案出されたものであり、その目的は、足場側から建物側に延びるように組み付けられる簡易手摺りの組み付け作業および撤去作業を容易かつ確実に行える新規な簡易手摺りブラケットを提供することにある。
【課題を解決するための手段】
【０００８】
前記課題を解決するために第１の考案は、足場から建物側に向かって互いに平行に延びる一対の単管と、当該単管間を連結する少なくとも１つ以上の連結管と、前記各単管の足場側端部に設けられ、当該単管端部を足場に取り付ける第１クランプと、前記各単管の建物側端部に設けられ、当該単管端部に、これとほぼ直交するように位置する単管からなる簡易手摺りに取り付ける第２クランプと、を備えることを特徴とする簡易手摺りブラケットである。
【０００９】
このような構成によれば、第１クランプを足場側に取り付けると共に、第２クランプに対して仮設の簡易手摺りを取り付けるだけで、足場側から建物側に延びる簡易手摺りを容易かつ確実に足場に組み付けることができる。また、その撤去作業も各クランプを取り外すだけで済むため、その作業も迅速かつ容易に作業を行うことができる。なお、本考案でいう単管とは、内部中空の管体に限るものでなく、中実のロッド状（棒状）のものも含む（以下の考案も同様である）。
【００１０】
第２の考案は、足場から建物側に向かって互いに平行に延びる一対の第１単管と、当該第１単管間を連結する少なくとも１つ以上の第１連結管と、前記各第１単管の足場側端部に設けられ、当該第１単管端部を足場に取り付ける第１クランプとからなる第１フレームと、
前記建物から足場側に向かって互いに平行に延びると共に、足場側端部が前記第１単管の建物側端部を挿入または挿入される一対の第２単管と、当該第２単管間を連結する少なくとも１つ以上の第２連結管と、前記各第２単管の建物側端部に設けられ、当該第２単管端部に、これとほぼ直交するように位置する単管からなる簡易手摺りに取り付ける第２クランプとからなる第２フレームと、を備えることを特徴とする簡易手摺りブラケットである。
【００１１】
このような構成によれば、第１の考案と同様な効果に加え、第１フレームに対して第２フレームがスライド自在に移動可能となるため、足場側から支持する簡易手摺りの距離を自由に調整することができる。
【００１２】
第３の考案は、第１または第２の考案において、前記第１クランプは、前記各単管の足場側端部に前記単管の軸を中心に回転自在に設けられたことを特徴とする簡易手摺りブラケットである。このような構成によれば、第１クランプによる足場（の単管）を把持する向きを自由に変更できるため、足場を構成する垂直な支柱だけでなく、その支柱間を水平に支持する足場側手摺りなどに対しても容易に取り付けることができる。
【００１３】
第４の考案は、第１乃至第３の考案において、前記各単管の建物側端部に筒状体を回転自在に嵌装し、当該筒状体の側面に、前記手摺りに取り付ける第３クランプを備えたことを特徴とする簡易手摺りブラケットである。このような構成によれば、第２クランプのみならず、第３クランプを用いて簡易手摺りを支持することができるため、簡易手摺りの数や取り付け高さ、簡易手摺り間の間隔などを適宜調整することができる。
【００１４】
第５の考案は、第４の考案において、
前記第２クランプに代えてアイボルトを備えたことを特徴とする簡易手摺りブラケットである。このような構成によれば、アイボルトを利用して簡易手摺りに他の部材、例えば防護ネットなどを容易に設けることができる。
【考案の効果】
【００１５】
本考案に係る簡易手摺りブラケットによれば、以下に示すような優れた効果を発揮する。（１）各クランプを足場および簡易手摺りに取り付けるだけで、容易かつ確実に簡易手摺りを足場に取り付けることができる。また、各クランプを足場および簡易手摺りから取り外すだけで、容易かつ迅速に簡易手摺りを撤去することができる。
（２）第１フレームに対して第２フレームがスライド自在に移動可能となるため、足場側から支持する簡易手摺りの距離を自由に調整することができる。
（３）第１クランプによる足場（の単管）を把持する向きを自由に変更できるため、足場を構成する垂直な支柱だけでなく、その支柱間を水平に支持する足場側手摺りなどに対しても容易に取り付けることができる。
（４）第２クランプのみならず、第３クランプを用いて簡易手摺りを支持することができるため、簡易手摺りの数や取り付け高さ、簡易手摺り間の間隔などを適宜調整することができる。
（５）アイボルトを備えることにより、簡易手摺りに対して防護ネットなどを容易に取り付けることができる。
【図面の簡単な説明】
【００１６】
【図１】本考案に係る簡易手摺り用ブラケット１００の実施の一形態を示す平面図である。
【図２】図１中Ａ方向矢視図である。
【図３】図１中Ｂ方向矢視図である。
【図４】本考案に係る簡易手摺り用ブラケット１００を作業用足場２００に取り付けた例を示す斜視図である。
【図５】簡易手摺り用ブラケット１００を構成する第１フレームＦ１と第２フレームＦ２との関係を示す説明図である。
【図６】本考案に係る簡易手摺り用ブラケット１００の他の実施の形態を示す平面図である。
【図７】図６中Ａ方向矢視図である。
【図８】図６中Ｂ方向矢視図である。
【図９】本考案に係る簡易手摺り用ブラケット１００の他の実施の形態を示す平面図である。
【図１０】本考案に係る簡易手摺り用ブラケット１００の他の実施の形態を示す平面図である。
【図１１】本考案に係る簡易手摺り用ブラケット１００の他の実施の形態を示す平面図である。
【考案を実施するための形態】
【００１７】
次に、本考案の実施の一形態を添付図面を参照しながら説明する。図１は、本考案に係る簡易手摺り用ブラケット１００の実施の一形態を示す平面図、図２は図１中Ａ方向矢視図、図３は図１中Ｂ方向矢視図、図４はこの簡易手摺り用ブラケット１００を作業用足場２００に取り付けた例を示す斜視図である。
【００１８】
図示するようにこの簡易手摺り用ブラケット１００は、作業用足場２００から建物３００の屋上側に向かって互いに平行（水平）に延びる一対の第１単管１０，１０と、これら第１単管１０，１０間を連結する１つの第１連結管２０とからなるＨ字形の第１フレームＦ１と、前記各単管１０，１０内に挿入される一対の第２単管１１，１１と、これら第２単管１１，１１間を連結する１つの第２連結管２１とからなるＨ字形の第２フレームＦ２とから構成されている。
【００１９】
第１フレームＦ１の第１単管１０，１０の足場２００側端部には、それぞれ第１クランプ３０，３０が設けられており、作業用足場２００の支柱２１０に対して第１フレームＦ１を縦方向に着脱自在に取り付けるようになっている。なお、この作業用足場２００は、例えばくさび緊結式足場などであり、少なくとも垂直に延びる複数の支柱（垂直単管）２１０と、これら各支柱間を水平に連結する足場側手摺り（水平単管）２２０と、図示しない足場板を支柱２１０側に支持する足場ブラケット２３０などを有している。
【００２０】
一方、第２フレームＦ２の第２単管１１，１１の建物３００側端部には、それぞれ第２クランプ３１，３１が設けられており、２本の単管からなる仮設の簡易手摺り４００、４００をそれぞれ保持するようになっている。また、この第２単管１１，１１の建物２００側端部には、金属製の筒状体４０が回転自在に嵌装されると共に、この筒状体４０には、第３クランプ３２，３２がそれぞれ設けられている。また、図１に示すように、第１フレームＦ１の第１単管１０，１０の一方には、止めネジ５０の先端を第１単管１０に対してその径方向にねじ込むための固定ナット５１が設けられている。
【００２１】
そして、例えば図１および図４に示すように、このような構成をした本考案の簡易手摺り用ブラケット１００を少なくとも２つ以上用意し、それぞれ簡易手摺り用ブラケット１００の第１フレームＦ１側の第１クランプ３０，３０を作業用足場２００の支柱２１０に取り付けた後、第２フレームＦ２側の第２クランプ３１，３１にそれぞれ簡易手摺り４００、４００を保持するように取り付ければ、作業用足場２００側から建物３００側に延びるように上下一対の単管からなる簡易手摺り４００、４００を容易かつ迅速・確実に取り付けることができる。
【００２２】
すなわち、従来、図示するような単管製の簡易手摺り４００、４００を足場２００に取り付けるためには、複数の単管を用意し、これらを溶接や複数のブラケットなどを用いて格子状などに組み立てるなどと行った作業が必要であるが、本考案の簡易手摺り用ブラケット１００を用いれば、作業用足場２００側と簡易手摺り４００、４００側へ各ブラケット３０，３０，３１，３１の取り付けるだけで済むため、簡易手摺り４００、４００の組み付け作業を容易かつ確実に行うことができる。また、撤去時は、これら各ブラケット３０，３０，３１，３１を取り外すだけで済むため、その撤去作業も容易かつ迅速に行うことができる。
【００２３】
また、図５に示すように、第１フレームＦ１の止めネジ５０を緩めれば、第１フレームＦ１に対して第２フレームが挿脱（スライド）自在に移動できるため、現場毎に異なる足場２００と建物３００との距離に応じて適宜最適な距離に調整することができる。そして、調整後はその止めネジ５０を締め込めば、調整後の位置関係を維持できるため、その距離（長さ）がずれるのを確実に防止することができる。また、第２フレームＦ２側には第２クランプ３１，３１と共に、回転自在な第３クランプ４０，４０を設けたため、この第３クランプ４０，４０にさらに他の簡易手摺り４００を取り付けることも可能となる。さらに、この第３クランプ４０，４０を利用することにより、簡易手摺り４００、４００の間隔や取り付け高さなども自由に変えることができる。
【００２４】
具体的には、第３クランプ４０，４０を図１に示すような状態でそれぞれに簡易手摺り４００、４００を取り付ければ、簡易手摺り４００、４００間の距離が最も大きくなり、反対に下側の第３クランプ４０をその第２単管１１の上方に回転移動させると共に、上側の第３クランプ４０をその第２単管１１の下方に回転移動させた状態で簡易手摺り４００、４００を取り付ければ、簡易手摺り４００、４００間の距離を最も小さくすることができる。さらに、固定状態の第２クランプ３１，３１と組み合わせて用いれば、簡易手摺り４００、４００の取り付け高さなども容易に調整することができる。
【００２５】
なお、このように本考案の簡易手摺り用ブラケット１００によって取り付けられた簡易手摺り４００、４００があれば、図１に示すように足場２００と建物３００との間に例えば３０〜４０ｃｍ程度の隙間があった場合でも、作業員がこの簡易手摺り４００、４００を利用することによって足場２００と建物３００間を安全かつ容易に移動することができる。また、建物２００側の作業員がうっかり足場２００と建物３００との間から転落するような事故も未然に防止することができる。また、第１クランプ３０、第２クランプ３１、第３クランプ３２は、それぞれベースと締め付けアームと固定用ボルトなどからなる単管把持用の従来公知のもの（汎用品）をそのまま用いることができる。
【００２６】
次に、図６乃至図１１は、本考案に係る簡易手摺り用ブラケット１００の他の実施形態を示したものである。先ず図６乃至図８は、第１フレームＦ１側の第１クランプ３０、３０の向きを前記第１の実施形態の向きに対して９０°回転させて取り付けたものである。このような構成にすれば、第１クランプ３０、３０を足場２００側の手摺り（水平単管）２２０に対して上下に取り付けることができるため、支柱２１０がない位置にも取り付けることができ、支柱２１０位置以外の位置からも簡易手摺り４００、４００を支持することができる。
【００２７】
また、図９は、第１フレームＦ１側の第１クランプ３０、３０を第１単管１０，１０の軸を中心として回転自在に取り付けたものである。このような構成にすれば、第１クランプ３０、３０を足場２００側の支柱２１０だけでなく手摺り（水平単管）２２０にも取り付けることができるため、使い勝手がより向上する。すなわち、垂直に位置する足場２００の支柱２１０に対して第１クランプ３０、３０を取り付けるためには、第１クランプ３０、３０の軸を支柱２１０の軸と一致するように回転させることで全体の姿勢を変えることなく、支柱２１０に容易に取り付けることができる。一方、それぞれ水平に位置する足場２００の上下の足場側手摺り２２０，２２０に対して第１クランプ３０、３０を取り付けるためには、第１クランプ３０、３０の軸を足場側手摺り２２０，２２０の軸と一致するようにを９０℃回転させることで全体の姿勢を変えることなく、足場側手摺り２２０，２２０に容易に取り付けることができる。
【００２８】
また、図１０に示すように第１フレームＦ１のみで構成したり、図１１に示すように第２クランプ３１，３１に代えてアイボルト６０，６０を備えれば、構造がよりシンプルとなり、製作コストを低く抑えることも可能となる。また、本実施の形態では、第１フレームＦ１および第２フレームＦ２ともに内部中空の単管で構成したが、中実のロッド状（棒状）のものであっても良く、さらのその材質は、十分な強度を有するものであれば金属（鋼管）に限るものでなく、ビニール管やガラス繊維強化プラスチック、木製などであっても良い。
【００２９】
また、本実施の形態では、本考案に係る簡易手摺り用ブラケット１００をくさび緊結式足場に取り付ける例で説明したが、第１クランプ３０，３０を取り付ける単管を有する構成であれば、単管足場や枠組足場の他、移動式足場などといった、あらゆる足場に容易に適用できる。
【符号の説明】
【００３０】
１００…簡易手摺り用ブラケット
２００…作業用足場
２１０…支柱
２２０…足場用手摺り
２３０…足場用ブラケット
３００…建物
４００…簡易手摺り
１０…第１単管
１１…第２単管
２０…第１連結管
２１…第２連結管
３０…第１ブラケット
３１…第２ブラケット
３２…第３ブラケット
４０…筒状体
５０…止めネジ
５１…固定ナット
６０…アイボルト
Ｆ１…第１フレーム
Ｆ２…第２フレーム
【図１】
0003186625.tif 000003
【図２】
0003186625.tif 000004
【図３】
0003186625.tif 000005
【図４】
0003186625.tif 000006
【図５】
0003186625.tif 000007
【図６】
0003186625.tif 000008
【図７】
0003186625.tif 000009
【図８】
0003186625.tif 000010
【図９】
0003186625.tif 000011
【図１０】
0003186625.tif 000012
【図１１】
0003186625.tif 000013